(57)【要約】【課題】通信中に自装置の周囲の環境に影響されない携帯端末装置、携帯端末装置の制御方法および携帯端末装置の制御プログラムを提供する。【解決手段】通信部１１が通信中であるときはセンサ１２の出力にかかわらず自装置の状態が維持される。これにより、例えば、通信状態や表示状態が自装置の周囲の環境に影響されるのを防ぐことができる。【選択図】  図１
2010141475.tif 000002
【特許請求の範囲】
【請求項１】
他の装置と通信を行う通信部と、
自装置がおかれた環境を検出するセンサと、
このセンサの出力に基づいて自装置の状態を制御する制御部と
を備え、
前記制御部は、前記通信部が通信中であるときは前記センサの出力にかかわらず自装置の状態を維持する
ことを特徴とする携帯端末装置。
【請求項２】
２つの筐体が開閉可能に接続された折り畳み式の本体と、
２つの前記筐体のうち少なくとも一方の筐体の、前記本体を折り畳んだときに２つの前記筐体が対向する側の面に設けられた表示部と
をさらに備え、
前記センサは、前記本体の開閉状態を検出し、
前記制御部は、前記通信部が通信中であるときには前記センサからの出力にかかわらず自装置の状態を維持する
ことを特徴とする請求項１記載の携帯端末装置。
【請求項３】
前記制御部は、前記通信部が通信中であるときには前記センサからの出力にかかわらず前記通信部による通信状態を維持する
ことを特徴とする請求項１または２記載の携帯端末装置。
【請求項４】
前記制御部は、前記通信部が通信中であるときには前記センサからの出力にかかわらず前記表示部の表示状態を維持する
ことを特徴とする請求項２または３記載の携帯端末装置。
【請求項５】
一方の前記筐体に設けられた磁石
をさらに備え、
前記センサは、他方の前記筐体に設けられ、磁力を検出すると前記本体が閉状態である旨を前記制御部に出力する
ことを特徴とする請求項２乃至４の何れか１項に記載の携帯端末装置。  
【請求項６】
他の装置と通信を行う通信部と、自装置がおかれた環境を検出するセンサと、このセンサの出力に基づいて自装置の状態を制御する制御部とを備えた携帯端末装置の制御方法であって、
前記通信部が通信中であるときは前記センサの出力にかかわらず自装置の状態を維持することを特徴とする携帯端末装置の制御方法。
【請求項７】
他の装置と通信を行う通信部と、自装置がおかれた環境を検出するセンサと、このセンサの出力に基づいて自装置の状態を制御する制御部とを備えた携帯端末装置に搭載されたコンピュータに、請求項６記載の制御方法を実行させることを特徴とする携帯端末装置の制御プログラム。
【発明の詳細な説明】
【技術分野】
【０００１】
本発明は、携帯端末装置に関するものである。
【背景技術】
【０００２】
近年、携帯電話機やＰＤＡ（Personal Digital Assistant）などの携帯端末装置では、１つまたは複数の通信機能を備えたものが提案されている。（例えば、特許文献１参照。）。中には、折り畳み式やスライド式の携帯端末装置において、開閉状態に応じて表示部のＯＮおよびＯＦＦを制御するものも提案されている。以下に、ＲＦＩＤ（Radio Frequency IDentification）通信機能を備えた折り畳み式携帯端末装置によるデータの送受信動作の一例を、図４〜図８を参照して説明する。なお、ＲＦＩＤ通信とは、電磁波の電磁誘導によってデータの送受信を行うものである。
【０００３】
図４，図５は、上側筐体にＲＦＩＤアンテナ部が設けられた折り畳み式の携帯端末電話機の一例を示す側部断面図および平面図である。この携帯電話機１００は、それぞれ略直方体の形状を有する上側筐体１１０および下側筐体１２０と、これらを接続するヒンジ１３０とを備えている。
なお、以下、上側筐体１１０と下側筐体１２０とをヒンジ１３０を回転軸として移動させて互いを近接させて、携帯電話機１００を折り畳んだときに、上側筐体１１０および下側筐体１２０の互いに対向する面を表面、この表面の反対側の面を裏面と呼ぶこととする。
【０００４】
上側筐体１１０には、表面に、ＬＣＤ（Liquid Crystal Display）や有機ＥＬ（Electro Luminescence）等からなる表示部１１１が設けられている。また、上側筐体１１０の内部には、裏面側に、ＲＦＩＤアンテナ部１１２が設けられている。このＲＦＩＤアンテナ部１１２表面の略中央部には、アンテナ中心マーク１１２ａが設けられている。また、上側筐体１１０内部の中央部には、ＲＦＩＤアンテナ部１１２を制御するＲＦＩＤ制御部１１３およびホールＩＣやＭＲセンサ等からなる磁気センサ１１４が実装された基板１１５と、この基板１１５とＲＦＩＤアンテナ部１１２とを接続するＲＦＩＤ接続部１１６とが設けられている。ここで、磁気センサ１１４は、上側筐体１１０のヒンジ１３０に接続された一側部と反対側の他側部の側に設けられている。
【０００５】
一方、下側筐体１２０には、表面に、数字キー、テンキー、ジョグシャトル等からなる操作入力部１２１が設けられている。また、下側筐体１２０の内部には、下側筐体１２０のヒンジ１３０と接続された一側部と反対側の他側部近傍の表面側に磁石１２２が設けられ、裏面側にスピーカ１２３が設けられている。
【０００６】
このような携帯電話機１００では、環境検出用センサとして機能する磁気センサ１１４と磁石１２２により、開閉状態の検出を行っている（例えば、特許文献２参照。）。すなわち、携帯電話機１００の上側筐体１１０と下側筐体１２０の表面側が近接した閉状態の場合、磁気センサ１４は、磁石１２２と近接するために、周囲の環境から磁力を検出する。このような場合に、磁気センサ１１４は、携帯電話機１００が閉状態であると判定する。
【０００７】
また、図６，図７は、下側筐体にＲＦＩＤアンテナ部が設けられた折り畳み式の携帯電話機の一例を模式的に示す断面図および平面図である。この携帯電話機２００は、それぞれ略直方体の形状を有する上側筐体２１０および下側筐体２２０と、これらを接続するヒンジ２３０とを備えている。
【０００８】
上側筐体２１０には、表面側に、ＬＣＤや有機ＥＬ等からなる表示部２１１が設けられている。また、下側筐体２２０には、表面側に、操作入力部２２１が設けられ、裏面側に、スピーカ２２２と、ＲＦＩＤアンテナ部２２３とが設けられている。このＲＦＩＤアンテナ部２２３表面の略中央部には、アンテナ中心マーク２２３ａが設けられている。また、下側筐体２２０の内部には、ＲＦＩＤアンテナ部２２３を制御するＲＦＩＤ制御部２２４を実装した基板２２５と、この基板２２５をＲＦＩＤアンテナ部２２３とを接続するＲＦＩＤ接続部２２６とが設けられている。
【０００９】
上述したような携帯電話機１００と携帯電話機２００との間でＲＦＩＤ通信を行う場合、図８に示すように、ＲＦＩＤアンテナ部１１２，２２３を、互いのアンテナ中心マーク１１２ａ、２２３ａが合うように近接させる。このとき、互いをより近づける（例えば約１０ｍｍ以下）ことが望ましい。これにより、安定してデータを送受信することができる。
【００１０】
【特許文献１】特開２００７−２１４７４０号公報
【特許文献２】特開２００６−２９５６２１号公報
【発明の開示】
【発明が解決しようとする課題】
【００１１】
しかしながら、携帯端末装置同士を近接させたとき、一方の携帯端末装置が上述したような折り畳み式の携帯電話機１００のように磁気センサからなる環境検出用センサを備え、他方の携帯端末装置が磁力を発生する部材を備えていると、それらの配置によっては、環境検出用センサがその部材の磁力を検出してしまうことがあった。
環境検出用センサとして用いられる磁気センサは、ホール効果を利用した回路装置から構成されるため、開閉検出用の磁石から放出される磁力のみならず、スピーカ等から放出される磁力に対しても反応してしまうことがある。このため、図５に示すように、携帯電話機１００のＲＦＩＤアンテナ部１１２と携帯電話機２００のＲＦＩＤアンテナ部２２３とを近接させると、携帯電話機１００の磁気センサ１１４と携帯電話機２００のスピーカ２２２とも近接するので、磁気センサ１１４がスピーカ２２２から出力される磁力を検出してしまうことがあった。
【００１２】
環境検出用センサが周囲の環境から磁力を検出すると、自装置は、実際には開状態であっても、閉状態であると誤って認識してしまう。通常、折り畳み式携帯端末装置では、閉状態のときには表示部をＯＦＦとしているので、自装置が閉状態と誤認すると、通信中であっても表示部をＯＦＦとしてしまうことがあった。このような場合、通信中のユーザは、表面部に表示されるメッセージによりデータ伝送が完了したか否かを判断しているので、表示部がＯＦＦとなると、通信が完了したか否かを確認できず、場合によっては通信そのものが中断することがあった。
【００１３】
そこで、本願発明は、通信中に自装置の周囲の環境に影響されない携帯端末装置、携帯端末装置の制御方法および携帯端末装置の制御プログラムを提供することを目的とする。
【課題を解決するための手段】
【００１４】
上述したような課題を解決するために、本発明に係る携帯端末装置は、他の装置と通信を行う通信部と、自装置がおかれた環境を検出するセンサと、このセンサの出力に基づいて自装置の状態を制御する制御部とを備え、制御部は、通信部が通信中であるときはセンサの出力にかかわらず自装置の状態を維持することを特徴とすることを特徴とする。
【００１５】
また、本発明に係る携帯端末装置の制御方法は、他の装置と通信を行う通信部と、自装置がおかれた環境を検出するセンサと、このセンサの出力に基づいて自装置の状態を制御する制御部とを備えた携帯端末装置の制御方法であって、通信部が通信中であるときはセンサの出力にかかわらず自装置の状態を維持することを特徴とする。
【００１６】
また、本発明に係る携帯端末装置の制御プログラムは、他の装置と通信を行う通信部と、自装置がおかれた環境を検出するセンサと、このセンサの出力に基づいて自装置の状態を制御する制御部とを備えた携帯端末装置に搭載されたコンピュータに、上記制御方法を実行させることを特徴とする。
【発明の効果】
【００１７】
本発明によれば、通信部が通信中であるときはセンサの出力にかかわらず自装置の状態が維持されるので、例えば、通信状態や表示状態が自装置の周囲の環境に影響されるのを防ぐことができる。
【発明を実施するための最良の形態】
【００１８】
以下、図面を参照して、本発明の実施の形態について詳細に説明する。
【００１９】
［第１の実施の形態］  
図１に示すように、本実施の形態に係る携帯端末装置１は、通信部１１と、センサ１２と、制御部１３とを備えている。このような携帯端末装置１は、図４〜図７に示したような折り畳み式携帯電話機から構成される。
【００２０】
通信部１１は、ＲＦＩＤ通信やＩＲ通信など公知の非接触通信により他の装置と通信を行う回路装置からなる。
【００２１】
センサ１２は、例えば磁気センサなど、携帯端末装置１の周囲の環境を検出するセンサ装置から構成される。
【００２２】
制御部１３は、携帯端末装置１の動作を制御する回路装置から構成される。このような制御部１３は、通信部１１が他の装置と通信中の場合、センサ１２の出力にかかわらず自装置の状態を維持する。ここで、自装置の状態には、他の装置との通信状態や表示装置における表示状態などが含まれる。
【００２３】
この構成により、本実施の形態によれば、通信部１１が通信中であるときはセンサ１２の出力にかかわらず自装置の状態が維持されるので、例えば、通信状態や表示状態が自装置の周囲の環境に影響されるのを防ぐことができる。
【００２４】
［第２の実施の形態］
次に、本発明に係る第２の実施の形態について説明する。なお、本実施の形態は、携帯端末装置として図４〜図７に示したような折り畳み式の携帯電話機に適用した場合を例に説明する。
【００２５】
＜携帯電話機の構成＞
図２に示すように、本実施の形態に係る携帯電話機２は、折り畳み式の携帯電話機から構成されており、ＲＦＩＤ制御部２１と、スピーカ部２２と、開閉判定部２３と、無線部２４と、記憶部２５と、操作入力部２６と、表示部２７と、制御部２８とを備えている。
【００２６】
ＲＦＩＤ制御部２１は、ＲＦＩＤ通信を制御する回路装置からなり、制御部２８の指示に基づいて、他の装置とＲＦＩＤ通信を行う。このようなＲＦＩＤ制御部２１は、ＲＦＩＤアンテナ２１ａとＲＦＩＤ接続部２１ｂを介して接続されている。
【００２７】
スピーカ部２２は、公知のスピーカ装置からなり、制御部２８の指示に基づいて音声を出力する。
【００２８】
開閉判定部２３は、接続された磁気センサ２３ａの検出結果に基づいて、携帯電話機２の開閉状態を判定する回路装置から構成される。環境検出用センサとして機能する磁気センサ２３ａは、例えば図４，図５で示した携帯電話機１００のように、ヒンジによりそれぞれの一側部が接続された２つの筐体のうち、一方の筐体の他側部近傍に配設される。一方、その磁気センサ２３ａと対となる磁石は、他方の筐体の他側部近傍に磁石が配設される。これにより、携帯電話機２が閉状態の場合、磁気センサ２３ａは、磁石と近接するために周囲の環境から磁力を検出する。このように携帯電話機２の周囲の環境から磁力を検出したとき、開閉判定部２３は、携帯電話機２が閉状態であると判定する。また、開閉判定部２３は、ＲＦＩＤ制御部２１によりＲＦＩＤ通信が行われている場合には、磁気センサ２３ａからの検出結果にかかわらず、携帯電話機２が開状態であると判定する。このような判定結果は、制御部２８に出力される。
【００２９】
無線部２４は、制御部２８の指示に基づいて、アンテナ２４ａを介して基地局と各種信号をやりとりすることにより、音声通話やデータ通信を実現する回路装置である。
【００３０】
記憶部２５は、揮発性メモリや不揮発性メモリなどの公知の記憶装置から構成されている。この記憶部２５には、制御部２８の動作プログラムを含む携帯電話機２の動作に必要なデータが記憶されており、これらのデータが制御部２８と間でやりとりされる。
【００３１】
操作入力部２６は、テンキー、ジョグシャトル、キーボード等の公知の入力装置から構成される。この操作入力部２６により検出されたユーザからの入力は、制御部２８に送出される。
【００３２】
表示部２７は、ＬＣＤ(Liquid Crystal Display)、有機ＥＬ(Electro Luminescence)、ＦＥＤ（Field Emission Display）などの公知の表示装置から構成される。このような表示部２７は、制御部２８の指示に基づいて各種表示を行う。また、表示部２７は、携帯端末装置２が閉状態の場合、制御部２８の指示によりＯＦＦとされる。
【００３３】
制御部２８は、ＣＰＵなどのマイクロプロセッサとその周辺回路からなり、記憶部２５に記憶された制御プログラムを読み込んで実行する。その結果、上記ハードウェアとその制御プログラムとが協働し、通話処理、データ通信処理、ＲＦＩＤ通信処理、開閉検出処理など、携帯電話機２の各機能が実現される。本実施の形態においては、ＲＦＩＤ通信中に開閉判定部２３に対して信号（以下、通信中信号という）を出力するものとする。
【００３４】
＜ＲＦＩＤ通信処理動作＞
次に、図３を参照して、本実施の形態に係る携帯電話機２によるＲＦＩＤ通信処理動作について説明する。
【００３５】
他の装置とＲＦＩＤ通信を行う場合、ユーザは、まず携帯電話機２を開く。すると、磁気センサ２３ａは、対となる磁石と離間するので、磁力を検出しない。これにより、開閉判定部２３は、携帯電話機２が開状態であると判定する（ステップＳ１）。この判定結果は、制御部２８に出力される。
【００３６】
携帯電話機２を開状態とすると、ユーザは、操作入力部２６を介してＲＦＩＤ通信を行う旨を入力する。この操作入力を操作入力部２６が検出すると（ステップＳ２：ＹＥＳ）、制御部２８は、ＲＦＩＤ制御部２１により、ＲＦＩＤアンテナ２１ａから搬送波を出力させる（ステップＳ３）。このとき、制御部２８は、表示部２７に、相手装置のＲＦＩＤアンテナにＲＦＩＤアンテナ２１ａを近接させることを要求するメッセージを表示させるようにしてもよい。
【００３７】
搬送波が出力されると、制御部２８は、開閉判定部２３に対して、ＲＦＩＤ通信が行われていることを示す通信中信号を送出する。すると、開閉判定部２３は、磁気センサ２３ａからの検出結果にかかわらず、強制的に携帯電話機２が開状態であると判定し（ステップＳ３）、この開状態であることを示す信号（以下、開信号という）を制御部２８に対して送出する（ステップＳ５）。
【００３８】
また、ＲＦＩＤ制御部２１は、搬送波を出力すると、ＲＦＩＤ通信を行う相手装置と相互認証できたか否か確認する（ステップＳ６）。
【００３９】
相互認証できなかった場合（ステップＳ６：ＮＯ）、制御部２８は、ステップＳ５の処理に戻る。このとき、制御部１８は、表示部２７に、相手装置のＲＦＩＤアンテナにＲＦＩＤアンテナ２１ａをさらに近接させることを要求するメッセージを表示させたり、スピーカ部２２から相手装置のＲＦＩＤアンテナにＲＦＩＤアンテナ２１ａをさらに近接させることを要求する警報音を出力させたりするようにしてもよい。
【００４０】
相互認証できた場合（ステップＳ５：ＹＥＳ）、ＲＦＩＤ制御部２１は、相手装置とＲＦＩＤ通信を開始する（ステップＳ６）。
【００４１】
このようなＲＦＩＤ通信中に、磁気センサが例えば通信相手のマイクや開閉検出用の磁石などから磁力を検出した場合、開閉判定部２３は、制御部２８から通信中信号を受信しているので、磁気センサ２３ａからの検出結果にかかわらず携帯電話機２が開状態であると判定し、開信号を制御部２８に出力し続ける。すると、制御部２８は、現在の自装置の状態を維持する。これにより、表示部２７の表示状態やＲＦＩＤ制御部２１による通信状態が維持され、表示部２７がＯＦＦになったりＲＦＩＤ通信が停止したりすることができる。このため、表示部２７に表示されるＲＦＩＤ通信が完了したか否かに関するメッセージをユーザが確認することができるので、ＲＦＩＤ通信を確実に行うことができる。
【００４２】
ＲＦＩＤ通信が終了すると（ステップＳ８：ＹＥＳ）、制御部２８は、開閉判定部２３に対してＲＦＩＤ通信が終了した旨を示す信号（以下、通信終了信号という）を送出する。通信終了信号を受信すると、開閉判定部２３は、強制的に開信号を出力するのを解除し（ステップＳ９）、以降は磁気センサ２３ａの検出結果に基づいて携帯電話機２の開閉状態を判定する。
【００４３】
以上説明したように、本実施の形態によれば、ＲＦＩＤ通信であるときは、磁気センサ２３ａの出力にかかわらず、ＲＦＩＤ通信の通信状態や表示部２７の表示状態が維持されるので、自装置が周囲の環境に影響されるのを防ぐことができる。
【００４４】
なお、本実施の形態において、開閉判定部２３がハードウェア資源からなる回路装置から構成される場合を例に説明したが、その開閉状態２３は、制御部２８が動作プログラムを読み込むことによりハードウェアとソフトウェアとが協働して実現される機能部によって実現されるようにしてもよい。
【００４５】
また、本実施の形態では、携帯端末装置として折り畳み式の携帯電話機に適用した場合を例に説明したが、折り畳み式の端末装置であるならば携帯電話機に限定されず、例えば、ＰＤＡ、ノートパソコン、携帯音楽プレーヤーなど各種携帯端末装置に適用することができる。
【００４６】
また、本実施の形態では、折り畳み式の携帯端末装置に適用した場合を例に説明したが、スライド式やカバー式の携帯端末装置にも適用できることは言うまでもない。
【００４７】
また、本実施の形態では、ＲＦＩＤ通信により他の装置と通信する場合を例に説明したが、その通信はＲＦＩＤ通信に限定されず、例えば、ＩＲ通信など各種通信を行う場合にも適用することができる。
【００４８】
また、本実施の形態では、通信に影響を与える環境として磁力を例に説明したが、例えば、着信やメール受信など携帯電話機２の通信状態や表示状態に影響を与えるものであるなら各種状態を適用することができる。
【００４９】
また、本実施の形態では、磁気センサ２３ａが磁力を検出したときに表示部２７がＯＦＦとならないようにしたが、ＲＦＩＤ通信などの通信自体がＯＦＦとならないようにしてもよい。これにより、表示部２７がＯＦＦとなっても、通信状態を維持できるので、その通信を確実に行うことができる。
【産業上の利用可能性】
【００５０】
本発明は、例えば、携帯電話機、ＰＤＡ、ＰＣ（Personal Computer）、携帯音楽プレーヤーなどＲＦＩＤ通信機能を有する携帯端末装置に適用することができる。
【図面の簡単な説明】
【００５１】
【図１】本発明の第１の実施の形態に係る携帯電話機の構成を示すブロック図である。
【図２】本発明の第２の実施の形態に係る携帯電話機の構成を示すブロック図である。
【図３】ＲＦＩＤ通信処理動作を示すフローチャートである。
【図４】上側筐体にＲＦＩＤアンテナ部が配設された折り畳み型携帯電話機を模式的に示す側面図である。
【図５】上側筐体にＲＦＩＤアンテナ部が配設された折り畳み型携帯電話機を模式的に示す正面図である。
【図６】下側筐体にＲＦＩＤアンテナ部が配設された折り畳み型携帯電話機を模式的に示す側面図である。
【図７】下側筐体にＲＦＩＤアンテナ部が配設された折り畳み型携帯電話機を模式的に示す正面図である。
【図８】上側筐体にＲＦＩＤアンテナ部が配設された折り畳み型携帯電話機と下側筐体にＲＦＩＤアンテナ部が配設された折り畳み型携帯電話機によるＲＦＩＤ通信動作を説明する図である。
【符号の説明】
【００５２】
１…携帯端末装置、２…携帯電話機、１１…ＲＦＩＤ通信部、１２…固定部、２１…ＲＦＩＤ制御部、２１ａ…ＲＦＩＤアンテナ、２１ｂ…ＲＦＩＤ接続部、２２…スピーカ部、２３…開閉判断部、２３ａ…磁気センサ、２４…無線部、２４ａ…アンテナ、２５…記憶部、２６…操作入力部、２７…表示部。
【図１】
2010141475.tif 000003
【図２】
2010141475.tif 000004
【図３】
2010141475.tif 000005
【図４】
2010141475.tif 000006
【図５】
2010141475.tif 000007
【図６】
2010141475.tif 000008
【図７】
2010141475.tif 000009
【図８】
2010141475.tif 000010